(57)【特許請求の範囲】
【請求項１】
景品を搭載したトレイを複数個無端ベルト上に配列し、前記トレイを無端ベルトの進行方向に傾斜させることにより搭載されている景品を落下させて景品を払い出す景品払出し装置において、
トレイを検知するセンサと、
制御回路とを有し、
前記センサが、トレイが景品を落下させるべき位置にきたことを検知したとき、前記制御回路は無端ベルトを一定量前進させた後、一定時間停止させる間欠駆動制御を所定回数繰り返すことにより、トレイを無端ベルトの進行方向に傾斜させて景品を落下させることを特徴とする景品払出し装置。
【発明の詳細な説明】
【０００１】
【発明の属する技術分野】
本発明は、例えばゲームを行って、所定以上の点数を出した場合等に景品を払い出すゲーム機等の景品払出し装置、さらに詳しくいえば、景品を搭載したトレイを複数個無端ベルト上に配列し、トレイに傾斜を与えることにより搭載されている景品を落下させて景品を払い出す景品払出し装置に関する。
【０００２】
【従来の技術】
本件出願人は、景品払出し装置を搭載したゲーム機として異なる種類の的当てゲームを組み合わせた複合カーニバルゲーム機（特願平７ー２９４７５１）を既に提案している。
この的当てゲーム機の払出し装置は、所定点数以上に達したとき、プレイヤが景品選択ボタンで景品を選択することにより、選択された景品列の無端ベルトが回転し、トレイが傾斜してトレイ上の景品が払出されるものである。
【０００３】
【発明が解決しようとする課題】
図６に従来の景品払出し装置の一例を示す。
景品払出し時に上方に向いているトレイ２８は次第に傾いていき下方に向きを変えていく間に景品がトレイより離れて払い出される。景品を払出し、反転したトレイは、景品払出し装置と底面との間に確保された空間２７を戻っていく構造となっている。この空間２７はトレイが戻るに十分な高さが確保されたものであるが、景品が誤って空間部分に入り込むことを防止するためにトレイの上端と底面２６の間は景品の寸法より小さくなっている。
【０００４】
そのため、例えばトレイ２４の方向転換が早すぎた場合には、トレイ２４に搭載されている景品２５の落下が相対的に遅れるため底面２６とトレイ２４との間に景品２５が挟まれてしまうことがあった。
本発明の課題は、トレイに搭載されている景品を確実に払出し口から払い出すことができる景品払出し装置を提供することにある。
【０００５】
【課題を解決するための手段】
前記目的を達成するために本発明による景品払出し装置は、景品を搭載したトレイを複数個無端ベルト上に配列し、前記トレイを無端ベルトの進行方向に傾斜させることにより搭載されている景品を落下させて景品を払い出す景品払出し装置において、トレイを検知するセンサと、制御回路とを有し、前記センサが、トレイが景品を落下させるべき位置にきたことを検知したとき、前記制御回路は無端ベルトを一定量前進させた後、一定時間停止させる間欠駆動制御を所定回数繰り返すことにより、トレイを無端ベルトの進行方向に傾斜させて景品を落下させるように構成してある。
【０００６】
【発明の実施の形態】
以下図面を参照して本発明の実施の形態を詳しく説明する。
図１は、本発明による景品払出し装置を適用した的当てゲーム機の実施の形態を示す斜視図である。
図１において、ゲームフィールドＦの前面左右のボール飛び出し防止用のネットは、一部のみ表示し、大部分は表示しないで向こう側が見えるようにしてある。このゲーム機は一つのストーリーに沿ってゲームが進められるものである。
【０００７】
１はコイン投入口，２は７セグメントのタイム表示部である。３はゲーム中に的に向かって投げられるボールでこの実施形態ではテニスボール位のビニール製のボールである。
４はターゲット（的）の一つで、この実施形態ではボスキャラクタのオババである。５は他の種類のターゲット（的）の一つで、この実施形態ではデビルである。６はさらに他の種類のターゲット（的）で、この実施形態ではコウモリである。７は７セグメントのスコア表示部である。９はゲーム終了を知らせるゲームオーバ表示部である。１０は景品排出を知らせる景品排出表示部である。１１は景品表示窓１２に見えている景品の中から希望する景品を選択するための景品選択（送出）ボタンである。
【０００８】
図２は、図１の景品払出し装置の景品払出し付近を示す斜視図である。
景品は景品送出ボタン１１ａ，１１ｂおよび１１ｃのいずれかを押すことにより排出させることができる。この例は景品送出ボタン１１ｂを選択し、トレイが傾いて犬のぬいぐるみが排出されている状態を示している。
本発明による景品払出し装置は、トレイが排出時に一定量進んで一定の時間止まり、さらに一定量進んで一定の時間止まるという動作を繰り返して反転動作を行うので、トレイが反転する以前に確実に上記犬のぬいぐるみ等の景品が景品排出口１３より落下しトレイと底面との間に挟まれることはない。
【０００９】
図３は、本発明による景品払出し装置の実施の形態を示す側面図である。
図示しないモータにより駆動させられる歯車２２ａおよび２２ｂに無端ベルト２１が掛け渡されている。無端ベルト２１にはトレイ１４〜１８が直列に配列されている。搬送路の各所にはセンサ１９ａ，１９ｂおよび１９ｃが配置され、トレイ１４〜１８の移動を検知している。センサ１９ａは１マス（トレイの長さ分）動いたことを検知し、センサ１９ｂは５個のトレイがすべて排出可能になる位置にきたことを検知し、センサ１９ｃはトレイからすべての景品が排出されたことを検知するものである。
【００１０】
景品払出し時には、図示しない制御回路はセンサ１９ａまたは１９ｂがトレイを検出していることを知ることにより（ａ）の位置にトレイがあることを確認する。そして無端ベルト２１を駆動しトレイ１４を前進させる。一定量すなわち一定時間ｔ1 （速度が判っているので、一定時間駆動することにより一定量進む）駆動した後、一定時間ｔ2 だけ停止する。
図４は、図３の景品払出し装置のトレイの景品払出し時の位置を説明するための概略図である。上記最初の駆動によりトレイ１４は１４ａの位置から１４ｂの位置まで進み停止する。つぎに同じように一定時間ｔ1 モータを駆動して一定時間ｔ2 だけ停止する。これにより１４ｃの位置まで進む。
【００１１】
この位置まで前進するとトレイ１４はかなり傾いてくる。そして１４ｄから１４ｅの位置まで前進したとき、景品２０が落下する。
さらに前進して１４ｆ，１４ｇ，１４ｈまで進んだところで景品排出動作は終了する。この実施の形態では７回間欠駆動している。
図５は、景品払出し時の動作を説明するためのフローチャートである。
図示しない制御回路はゲーム開始時にカウンタを０にリセットする（ステップ（以下「Ｓ」という）５０１）。そして、ターゲットが倒れ加点されて所定の点数に達したか否かを監視する（Ｓ５０２）。
所定の点数に達した場合には上述のようにセンサにより図３の（ａ）の位置にトレイがあることを確認し、無端ベルト２１を０．１秒駆動しカウンタを＋１する（Ｓ５０３，Ｓ５０４）。
【００１２】
そして、０．８秒無端ベルト２１の駆動を停止する（Ｓ５０５）。
さらにカウンタ値が「７」（トレイが終了位置まで達する間欠駆動回数）になったか否か判定する（Ｓ５０６）。カウンタ値が「７」になった場合にはトレイが終了位置まできたと判断して景品排出動作を停止する。
カウンタ値が「７」になっていない場合には、終了位置まで達していないとしてＳ５０３に戻り，Ｓ５０３，Ｓ５０４およびＳ５０５の動作を繰り返す。
【００１３】
【発明の効果】
以上説明したように本発明は、景品を搭載したトレイを複数個無端ベルト上に配列し、トレイを無端ベルトの進行方向に傾斜させることにより搭載されている景品を落下させて景品を払い出す景品払出し装置において、トレイを検知するセンサと、制御回路とを有し、前記センサが、トレイが景品を落下させるべき位置にきたことを検知したとき、前記制御回路は無端ベルトを一定量前進させた後、一定時間停止させる間欠駆動制御を所定回数繰り返すことにより、トレイを無端ベルトの進行方向に傾斜させて景品を落下させるように構成してある。
したがって、排出される景品はトレイと底面との間に挟まれることはなく、確実に景品排出口から排出される。
【図面の簡単な説明】
【図１】本発明による景品払出し装置を適用した的当てゲーム機の実施の形態を示す斜視図である。
【図２】図１の景品払出し装置の景品払出し付近を示す斜視図である。
【図３】本発明による景品払出し装置の実施の形態を示す側面図である。
【図４】図３の景品払出し装置のトレイの景品払出し時の姿勢を説明するための概略図である。
【図５】景品払出し時の動作を説明するためのフローチャートである。
【図６】景品払出し時に景品がトレイとの間に挟まれて景品が払いだされない状態を示す図である。
【符号の説明】
１…コイン投入口
２…７セグメントのタイム表示部
３…ボール
４…ターゲット（オババ）
５…ターゲット（デビル）
６…ターゲット（コウモリ）
７…スコア表示部
９…ゲームオーバ表示部
１０…景品排出表示部
１１…景品選択ボタン
１２…景品表示窓
１３…景品排出口
１４〜１８，２４…トレイ
１９ａ，１９ｂ，１９ｃ…センサ
２０，２５…景品
２１，２３…無端ベルト
【図１】
0003685543.tif 000002
【図２】
0003685543.tif 000003
【図３】
0003685543.tif 000004
【図４】
0003685543.tif 000005
【図６】
0003685543.tif 000006
【図５】
0003685543.tif 000007